(57)【要約】【課題】コンテンツに関連する製品等の電源機能を効果的にアピールすることができるコンテンツ再生装置等を提供する。【解決手段】サイネージ装置１００は、プロジェクタ等の外部装置と通信ネットワークを介して接続されたコンテンツ再生装置であって、コンテンツを再生する再生手段としてのコンテンツ再生制御部１１１と、コンテンツ再生制御部１１１のコンテンツの再生に基づいて、外部装置の電源オン／オフを制御する電源制御手段としての電源制御部１１２を備える。【選択図】図２
2018129722.tif 000002
【特許請求の範囲】
【請求項１】
外部装置と通信ネットワークを介して接続されたコンテンツ再生装置であって、
コンテンツを再生する再生手段と、
前記再生手段のコンテンツの再生に基づいて、前記外部装置の電源オン／オフを制御する電源制御手段と、
を備えるコンテンツ再生装置。
【請求項２】
前記再生手段が再生する前記コンテンツの再生時間を取得する再生時間取得手段を更に備え、
前記電源制御手段は、前記再生時間取得手段が取得した前記再生時間が予め定められた電源制御タイミングに到達したことを契機に、前記外部装置に電源オンコマンドまたは電源オフコマンドを送信することにより、前記外部装置の電源オン／オフを制御する、
請求項１に記載のコンテンツ再生装置。
【請求項３】
複数のコンテンツの再生スケジュールと前記電源制御タイミングとを規定するスケジュール情報を記憶する記憶手段と、
前記記憶手段が記憶する前記スケジュール情報において規定された前記再生スケジュールに応じて、前記再生手段によるコンテンツの再生を制御するコンテンツ再生制御手段と、を更に備える、
請求項２に記載のコンテンツ再生装置。
【請求項４】
前記外部装置は、プロジェクタまたはディスプレイであり、
前記電源オンコマンドと前記電源オフコマンドは、ＰＪＬｉｎｋ（登録商標）プロトコルに準拠したコマンドである、
請求項２または３に記載のコンテンツ再生装置。
【請求項５】
前記電源制御手段は、複数の前記外部装置の電源オン／オフを制御する、
請求項１〜４のいずれか一項に記載のコンテンツ再生装置。
【請求項６】
外部装置と通信ネットワークを介して接続されたコンテンツ再生装置のコンテンツ再生制御方法であって、
コンテンツを再生する再生ステップと、
前記再生ステップにおけるコンテンツの再生に基づいて、前記外部装置の電源オン／オフを制御する電源制御ステップと、
を備えるコンテンツ再生制御方法。
【請求項７】
外部装置と通信ネットワークを介して接続されたコンテンツ再生装置のコンピュータに、
コンテンツを再生する再生処理と、
前記再生処理におけるコンテンツの再生に基づいて、前記外部装置の電源オン／オフを制御する電源制御処理と、
を実行させるためのプログラム。
【発明の詳細な説明】
【技術分野】
【０００１】
本発明は、コンテンツ再生装置、コンテンツ再生制御方法及びプログラムに関する。
【背景技術】
【０００２】
製品等の販売促進を図るために、広告コンテンツの閲覧者の印象を高めるための技術が多く提案されている。例えば、特許文献１は、人型のスクリーンに広告コンテンツの映像に含まれる人物像のみを投影させ、この人物像が製品のプロモーション等を行うことにより、閲覧者の印象を高める技術を開示している。
【先行技術文献】
【特許文献】
【０００３】
【特許文献１】特開２０１１−１５０２２１号公報
【発明の概要】
【発明が解決しようとする課題】
【０００４】
しかしながら、特許文献１が開示する技術では、広告コンテンツの映像に対する印象を高めることができたとしても、広告コンテンツの広告対象（製品等）に対する印象を高めることが困難である。一方、製品等の印象を高めるためには、複数の製品について同時に機能を比較することが効果的であり、特に製品の電源機能を効果的にアピールする技術が求められている。
【０００５】
本発明は、上述のような事情に鑑みてなされたものであり、コンテンツに関連する製品等の電源機能を効果的にアピールすることができるコンテンツ再生装置、コンテンツ再生制御方法及びプログラムを提供することを目的とする。
【課題を解決するための手段】
【０００６】
上記の目的を達成するため、本発明に係るコンテンツ再生装置は、
コンテンツを再生する再生手段と、
前記再生手段のコンテンツの再生に基づいて、前記外部装置の電源オン／オフを制御する電源制御手段と、
を備える。
【発明の効果】
【０００７】
本発明によれば、コンテンツに関連する製品等の電源機能を効果的にアピールすることができる。
【図面の簡単な説明】
【０００８】
【図１】本発明の実施の形態に係る情報提供システムの構成を示す図である。
【図２】サイネージ装置の構成を示すブロック図である。
【図３】スケジュール情報テーブルの一例を示す図である。
【図４Ａ】プロジェクタＡの構成を示すブロック図である。
【図４Ｂ】プロジェクタＢの構成を示すブロック図である。
【図５】デモンストレーションを実施する際の情報提供システムを構成する各装置の配置の一例を示す図である。
【図６Ａ】デモンストレーションにおける情報提供システムを構成する各装置の動作を説明するための図である。
【図６Ｂ】デモンストレーションにおける情報提供システムを構成する各装置の動作を説明するための図である。
【図７】コンテンツ再生処理の流れを示すフローチャートである。
【発明を実施するための形態】
【０００９】
以下、本発明の実施の形態に係る情報発信システムについて、図面を参照しながら説明する。
【００１０】
本発明の実施の形態に係る情報提供システム１は、広告コンテンツ（以下、単に「コンテンツ」とも称する）の広告対象である製品の販売を促進するために、その製品の優位性を示す情報を閲覧者に提供するシステムである。例えば、情報提供システム１は、コンテンツの再生中に広告対象の製品と他の製品のそれぞれの性能を比較するデモンストレーションを実施する。このデモンストレーションの詳細な内容については後述する。
【００１１】
情報提供システム１は、図１に示すように、デジタルサイネージ装置（以下、「サイネージ装置」と称する）１００と、プロジェクタＡ２１０と、プロジェクタＢ２２０とを備える。サイネージ装置１００は、コンテンツの映像（動画像、静止画像を含む）および音声を出力するコンテンツ再生装置である。プロジェクタＡ２１０およびプロジェクタＢ２２０は、画像をスクリーンや壁面等に投影することにより表示する装置である。
【００１２】
サイネージ装置１００には、有線および無線の通信回線を適宜組み合わせて構築されるＬＡＮ（Local Area Network）等の通信ネットワークＮＷを介して、プロジェクタＡ２１０およびプロジェクタＢ２２０が相互に通信可能に接続されている。情報提供システム１を構成するサイネージ装置１００、プロジェクタＡ２１０，プロジェクタＢ２２０は、例えば、種々のイベント・展示会における展示ブースに配置される。なお、本実施の形態において、サイネージ装置１００にはプロジェクタＡ２１０とプロジェクタＢ２２０の２つのプロジェクタが接続されているものとして説明するが、２つ以上のプロジェクタが本システムに適用可能である。また、以下では、プロジェクタＡ２１０とプロジェクタＢ２２０を総称して「プロジェクタ２００」と示す場合がある。
【００１３】
次に、情報提供システム１を構成するサイネージ装置１００、プロジェクタＡ２１０，プロジェクタＢ２２０の各構成について説明する。
【００１４】
サイネージ装置１００は、図２に示すように、制御部１１０、記憶部１２０、通信部１３０、計時部１４０、再生時間計測部１５０、表示部１６０、音声出力部１７０、操作部１８０を備える。これらの各部位は、バスラインＢＬを介して相互に電気的に接続されている。
【００１５】
制御部１１０は、ＣＰＵ（Central Processing Unit）、ＲＡＭ（Random Access Memory）、ＲＯＭ（Read Only Memory）等を有するコンピュータから構成される。制御部１１０は、ＲＯＭに記憶された各種の動作プログラムを読み出してＲＡＭ上で実行することにより、サイネージ装置１００の各構成部位を制御する。
【００１６】
制御部１１０は、機能的には、コンテンツ再生制御部１１１、電源制御部１１２を有する。
【００１７】
コンテンツ再生制御部１１１は、記憶部１２０に記憶されたスケジュール情報に規定されたコンテンツ再生スケジュールに従って、該当するコンテンツデータを記憶部１２０から読み出し、コンテンツデータにデコード処理等の各種信号処理を施して画像信号および音声信号に変換した後、表示部１６０および音声出力部１７０に供給することにより、コンテンツを再生する。コンテンツ再生制御部１１１は、コンテンツデータの読み出し処理と各種信号処理を繰り返すことによって、コンテンツの再生を継続する。また、コンテンツ再生制御部１１１は、コンテンツの再生開始、再生終了に伴い、再生時間計測部１５０に計測開始指示、計測停止指示を送信する。
【００１８】
電源制御部１１２は、記憶部１２０が記憶するスケジュール情報に規定された電源制御スケジュールに従って、プロジェクタＡ２１０およびプロジェクタＢ２２０に電源オンコマンドまたは電源オフコマンドを送信することにより、プロジェクタＡ２１０およびプロジェクタＢ２２０の電源オン／オフを制御する。本実施の形態において、電源オンコマンドおよび電源オフコマンドには、ＰＪＬｉｎｋ（登録商標）プロトコルに準拠したコマンドを適用する。
【００１９】
なお、コンテンツ再生制御部１１１、電源制御部１１２は、１つのコンピュータで構成されてもよいし、それぞれが別個のコンピュータで構成されてもよい。
【００２０】
記憶部１２０は、記憶内容が書き換え可能な不揮発性の半導体メモリ、ハードディスクドライブ等から構成される。記憶部１２０は、例えば、演算データ、送受信データ等の各種データを記憶する。また、記憶部１２０は、映像データおよび音声データからなるコンテンツデータと、コンテンツ再生スケジュールおよび電源制御スケジュールが規定されたスケジュール情報を記憶する。
【００２１】
ここで、スケジュール情報の内容について説明する。スケジュール情報は、例えば、図３に示すスケジュール情報テーブルの各項目のデータを含んで構成される。スケジュール情報テーブルは、コンテンツの再生を開始する時刻を示す「再生開始時刻」、コンテンツの再生開始後のプロジェクタ２００の電源制御を行うタイミングを示す「電源制御タイミング」、各時刻または各タイミングにおいて実行する内容を示す「実行内容」、コンテンツ再生中に電源制御を行うか否かを示す「電源制御有無」の各データが対応付けられている。また、スケジュール情報テーブルでは、「再生開始時刻」とこれに対応付けられた「実行内容」により、コンテンツ再生スケジュールが規定され、「電源制御タイミング」とこれに対応付けられた「実行内容」により、電源制御スケジュールが規定されている。ここで、コンテンツ１〜３は、いずれも再生時間が３０分弱のコンテンツであり、次のコンテンツの再生を開始するまでには先に再生を開始したコンテンツの再生は終了しているものとする。また、コンテンツ２は、プロジェクタＡ２１０を広告対象とするコンテンツであり、その再生中にデモンストレーションを実施するように電源制御スケジュールが規定されている。
【００２２】
図３に示すスケジュール情報テーブルにおいて、例えば、再生開始時刻「１０：００」にコンテンツ１の再生を開始することを指示する実行内容「コンテンツ１再生」が規定されている。また、これらのデータには、コンテンツ１の再生中に電源制御を行わないことを示す電源制御有無「無」が対応付けられている。これにより、サイネージ装置１００は、１０：００にコンテンツ１の再生を開始する。
【００２３】
また、再生開始時刻「１０：３０」にコンテンツ２の再生を開始することを指示する実行内容「コンテンツ２再生」、コンテンツ２の再生中に電源制御を行うことを示す電源制御有無「有」が規定されている。さらに、コンテンツ２の再生を開始した後の電源制御タイミング「５分後」には、プロジェクタＡ２１０およびプロジェクタＢ２２０を電源オン制御することを指示する実行内容「プロジェクタＡ，Ｂ電源オン」、電源制御タイミング「７分後」には、プロジェクタＡ２１０およびプロジェクタＢ２２０を電源オフ制御することを指示する実行内容「プロジェクタＡ，Ｂ電源オフ」等が規定されている。これにより、サイネージ装置１００は、１０：３０にコンテンツ２の再生を開始する。また、サイネージ装置１００は、コンテンツ２の再生を開始してから５分後にプロジェクタＡ２１０およびプロジェクタＢ２２０に電源オンコマンドを同時に送信し、７分後にプロジェクタＡ２１０およびプロジェクタＢ２２０に電源オフコマンドを同時に送信する。
【００２４】
図２に戻り、通信部１３０は、通信ネットワークＮＷに接続して外部機器とデータ通信するためのＮＩＣ（Network Internet Card controller）、アンテナ等から構成される。通信部１３０は、例えば、電源制御部１１２の制御に従って、プロジェクタＡ２１０およびプロジェクタＢ２２０に電源オンコマンドまたは電源オフコマンドを送信する。
【００２５】
計時部１４０は、ＲＴＣ（Real Time Clock）等から構成され、現在時刻を計時し、計時した現在時刻を表す時刻情報を生成して制御部１１０に出力する。なお、計時部１４０は、ＲＴＣ等に替えて、例えば、電波時計用の標準電波や現在時刻を計測する時刻サイト等を用いて外部から取得した時刻情報を制御部１１０に出力するように構成されてもよい。
【００２６】
再生時間計測部１５０は、タイマから構成され、コンテンツの再生時間を計測する。再生時間計測部１５０は、制御部１１０からの計測開始指示に応じてコンテンツの再生時間の計測を開始し、再生時間を表す再生時間情報を生成して制御部１１０に出力する。また、再生時間計測部１５０は、制御部１１０からの計測停止指示に応じて再生時間の計測を停止して計測時間をリセットする。このように、再生時間計測部１５０は、再生時間取得手段として機能する。
【００２７】
表示部１６０は、ＬＣＤ（Liquid Crystal Display）、ＰＤＰ（Plasma Display Panel）、有機ＥＬ（Electro-Luminescence）ディスプレイ等の表示装置から構成され、コンテンツ再生制御部１１１から取得した画像信号に基づいて、表示画面にコンテンツ映像を表示する。
【００２８】
音声出力部１７０は、スピーカから構成され、コンテンツ再生制御部１１１から取得した音声信号に基づいて、コンテンツ音声を出力する。
【００２９】
操作部１８０は、タッチパネル、操作ボタン等から構成され、利用者による各種操作を受け付ける。
【００３０】
プロジェクタＡ２１０は、図４Ａに示すように、制御部２１１、記憶部２１２、通信部２１３、投影部２１４、入力部２１５、操作部２１６を備える。これらの各部位は、バスラインＢＬを介して相互に電気的に接続されている。
【００３１】
制御部２１１は、ＣＰＵ、ＲＡＭ、ＲＯＭ等を有するコンピュータから構成される。制御部２１１は、ＲＯＭに記憶された各種の動作プログラムを読み出してＲＡＭ上で実行することにより、プロジェクタＡ２１０の各構成部位を制御する。
【００３２】
記憶部２１２は、記憶内容が書き換え可能な不揮発性の半導体メモリ、ハードディスクドライブ等から構成される。記憶部２１２は、例えば、プロジェクタＡ２１０の電源投入後に実行する起動処理が完了した後に、最初に投影する起動画像を記憶する。プロジェクタＡ２１０の起動画像は、プロジェクタＢ２２０の起動画像と同一であるものとする。
【００３３】
通信部２１３は、ネットワークＮＷに接続して外部機器とデータ通信するためのＮＩＣ、アンテナ等から構成される。通信部２１３は、例えば、ネットワークＮＷを介してサイネージ装置１００から電源オンコマンドや電源オフコマンドを受信する。
【００３４】
投影部２１４は、半導体レーザやＬＥＤ（Light Emitting Diode）等の光源、レンズやミラー等の光学部品からなる光学系、液晶パネル等からなる表示素子、投射レンズ等から構成される。投影部２１４は、制御部２１１の制御に従って、投影画像に基づく映像光を外部空間に投影する。投影部２１４は、例えば、入力部２１５を介して外部から取得した投影画像や記憶部２１２に記憶された起動画像を投影する。
【００３５】
入力部２１５は、映像データを受け取るための通信ケーブルや映像データが記録されたＵＳＢ（Universal Serial Bus）メモリを接続するための外部接続端子（ＨＤＭＩ（登録商標）端子、ＵＳＢ端子等）等で構成され、投影部２１４が映像光として投影するための映像データを外部から入力する。
【００３６】
操作部２１６は、タッチパネル、操作ボタン等から構成され、利用者による各種操作を受け付ける。
【００３７】
プロジェクタＢ２２０は、図４Ｂに示すように、制御部２２１、記憶部２２２、通信部２２３、投影部２２４、入力部２２５、操作部２２６を備える。これらの各部位は、バスラインＢＬを介して相互に電気的に接続されている。なお、プロジェクタＢ２２０が備える各部位は、プロジェクタＡ２１０が備える各部位と同様であるため、詳細な説明は省略する。
【００３８】
次に、情報提供システム１が実施するデモンストレーションの内容について説明する。このデモンストレーションは、プロジェクタＡ２１０とプロジェクタＢ２２０の起動時間を比較するための実演である。
【００３９】
デモンストレーションを実施するにあたり、例えば、図５に示すように、サイネージ装置１００は、投影面ＰＰの斜め右前方に配置され、プロジェクタＡ２１０およびプロジェクタＢ２２０は、投影面ＰＰに向けて投影画像を投影できるように、投影面ＰＰの前方に並べて配置されている。このデモンストレーションの閲覧者は、例えば、プロジェクタＡ２１０およびプロジェクタＢ２２０の前方付近からサイネージ装置１００の表示画面に表示されるコンテンツや投影面ＰＰに投影された投影画像を視聴する。なお、図５は、投影面ＰＰを基準として、サイネージ装置１００、プロジェクタＡ２１０、プロジェクタＢ２２０の配置の一例を示すものであり、これに限られない。
【００４０】
ここで、サイネージ装置１００とプロジェクタＡ２１０、サイネージ装置１００とプロジェクタＢ２２０は、それぞれ、ＴＣＰ／ＩＰ（Transmission Control Protocol / Internet Protocol）コネクションの確立後、パスワードによる認証手続が完了しており、プロジェクタＡ２１０およびプロジェクタＢ２２０は、ＰＪＬｉｎｋ（登録商標）プロトコルに準拠したコマンドをサイネージ装置１００から受け付けることができる状態であるものとする。
【００４１】
サイネージ装置１００によって、広告対象がプロジェクタＡ２１０であるコンテンツの生成が開始されると、例えば、比較対象であるプロジェクタＡ２１０とプロジェクタＢ２２０の仕様や特徴について説明する映像および音声が出力される。続いて、プロジェクタＡ２１０とプロジェクタＢ２２０の起動時間を比較するためのデモンストレーションが実施される。ここで、本実施の形態では、プロジェクタＡ２１０およびプロジェクタＢ２２０の起動時間は、サイネージ装置１００が電源オンコマンドを送信してから起動画像ＳＩが投影面ＰＰに投影されるまでの時間とする。
【００４２】
例えば、コンテンツ映像の「電源オン！」の音声出力と同時に、サイネージ装置１００から電源オンコマンドがプロジェクタＡ２１０とプロジェクタＢ２２０に対して同時に送信される。電源オンコマンドを受信したプロジェクタＡ２１０とプロジェクタＢ２２０は、それぞれ、起動処理を実行し、起動処理が完了した後、記憶部２１２に記憶された起動画像を投影する。
【００４３】
例えば、図６Ａに示すように、プロジェクタＡ２１０から投影された起動画像ＳＩが、プロジェクタＢ２２０よりも先に投影面ＰＰに映し出される。その後、図６Ｂに示すように、プロジェクタＢ２２０から投影された起動画像ＳＩが、プロジェクタＡ２１０に遅れて投影面ＰＰに映し出される。これにより、このデモンストレーションでは、プロジェクタＡ２１０の方がプロジェクタＢ２２０よりも起動時間が短い（起動速度が速い）ことを実証し、プロジェクタＡ２１０の優位性をアピールすることができる。
【００４４】
次に、図７に示すフローチャートを参照しながら、サイネージ装置１００の制御部１１０が実行するコンテンツ再生処理について説明する。コンテンツ再生処理は、スケジュール情報に従って、コンテンツの再生およびプロジェクタ２００の電源制御を行う処理である。
【００４５】
制御部１１０は、サイネージ装置１００の電源が投下されたことに応答して、コンテンツ再生処理の実行を開始する。制御部１１０は、コンテンツ再生処理を開始すると、まず、スケジュール情報を取得する（ステップＳ１０１）。制御部１１０は、記憶部１２０に記憶されたスケジュール情報テーブルを読み出すことにより、スケジュール情報を取得する。
【００４６】
次に、制御部１１０は、これから再生すべき再生対象コンテンツとその再生開始時刻を特定する（ステップＳ１０２）。制御部１１０は、ステップＳ１０１において記憶部１２０から読み出したスケジュール情報テーブルを参照し、計時部１４０から取得した現在時刻以降で最も近い「再生開始時刻」とこれに対応付けられた「実行内容」に格納されたデータから、これから再生すべき再生対象コンテンツとその再生開始時刻を特定する。
【００４７】
続いて、制御部１１０は、現在の時刻が再生開始時刻になったか否かを判定する（ステップＳ１０３）。制御部１１０は、計時部１４０から取得した現在時刻が特定した再生開始時刻に至ったか否かに応じて判定する。再生開始時刻になっていないと判定した場合（ステップＳ１０３；ＮＯ）、制御部１１０は、再生開始時刻になるまで待機する。
【００４８】
一方、再生開始時刻になったと判定した場合（ステップＳ１０３；ＹＥＳ）、制御部１１０は、特定した再生対象コンテンツの再生を開始する（ステップＳ１０４）。詳細には、コンテンツ再生制御部１１１は、記憶部１２０から再生対象コンテンツのコンテンツデータを読み出し、デコード処理等の各種信号処理を施した後、表示部１６０および音声出力部１７０を制御して、再生対象コンテンツを再生する。また、制御部１１０は、再生対象コンテンツの再生を開始に伴い、再生時間計測部１５０に再生時間の計測開始を指示する。
【００４９】
続いて、制御部１１０は、ステップＳ１０４において再生開始したコンテンツの再生中にプロジェクタ２００の電源制御を実行するか否かを判定する（ステップＳ１０５）。制御部１１０は、スケジュール情報テーブルを参照し、ステップＳ１０２において再生対象コンテンツを特定する元となった「実行内容」のデータに対応付けられた「電源制御有無」のデータ（「有」または「無」）に応じて判定する。
【００５０】
コンテンツ再生中に電源制御を実行しないと判定した場合（ステップＳ１０５；ＮＯ）、制御部１１０は、再生中のコンテンツの再生が終了したか否かを判定する（ステップＳ１０６）。制御部１１０は、再生中のコンテンツデータの再生位置が終端に達したか否かに応じて判定する。再生中のコンテンツの再生が終了していないと判定した場合（ステップＳ１０６；ＮＯ）、制御部１１０は、ステップＳ１０６の処理の実行を繰り返し、再生中のコンテンツの再生が終了するまで待機する。
【００５１】
一方、再生中のコンテンツの再生が終了したと判定した場合（ステップＳ１０６；ＹＥＳ）、制御部１１０は、コンテンツの再生スケジュールが終了したか否かを判定する（ステップＳ１０７）。制御部１１０は、スケジュール情報テーブルを参照し、現在時刻以降に「再生開始時刻」のデータが存在するか否かに応じて判定する。コンテンツの再生スケジュールが終了していないと判定した場合（ステップＳ１０７；ＮＯ）、制御部１１０は、処理をステップＳ１０２に戻す。一方、コンテンツの再生スケジュールが終了したと判定した場合（ステップＳ１０７；ＹＥＳ）、制御部１１０は、再生時間計測部１５０に、再生時間の計測停止を指示し、コンテンツ再生処理を終了する。
【００５２】
ステップＳ１０５において、コンテンツ再生中に電源制御を実行すると判定した場合（ステップＳ１０５；ＹＥＳ）、制御部１１０は、これから送信すべき送信コマンド、送信先装置、送信タイミングを特定する（ステップＳ１０８）。制御部１１０は、スケジュール情報テーブルを参照し、再生時間計測部１５０から取得した再生時間以降で最も近い「電源制御タイミング」とこれに対応付けられた「実行内容」に格納されたデータから、これから送信すべき送信コマンドとその送信タイミングを特定する。実行内容のデータが、「電源オン」を示す場合には電源オンコマンドが、「電源オフ」を示す場合には電源オフコマンドが、送信すべき送信コマンドとして特定される。また、本実施の形態に係る情報提供システム１はプロジェクタＡ２１０とプロジェクタＢ２２０の性能比較を行うデモンストレーションを実施するため、プロジェクタＡ２１０とプロジェクタＢ２２０の両装置が送信先装置として一律に特定される。
【００５３】
続いて、制御部１１０は、特定した送信先装置とのコネクションが確立しているか否かを判定する（ステップＳ１０９）。制御部１１０は、サイネージ装置１００とプロジェクタＡ２１０とのコネクションと、サイネージ装置１００とプロジェクタＢ２２０とのコネクションが共に確立されているか否かを判定する（ステップＳ１０９）。制御部１１０は、例えば、通信部１３０を制御して、プロジェクタＡ２１０とプロジェクタＢ２２０にｐｉｎｇメッセージをそれぞれ送信し、ｐｉｎｇメッセージを送信してから一定時間内に応答メッセージを受信したか否かに応じて、各コネクションが共に確立されているか否かを判定する。
【００５４】
送信先装置とのコネクションが確立されていないと判定した場合（ステップＳ１０９；ＮＯ）、制御部１１０は、送信先装置とのコネクションを確立する（ステップＳ１１０）。例えば、サイネージ装置１００とプロジェクタＡ２１０とのコネクションが確立されていない場合、制御部１１０は、通信部１３０を制御して、プロジェクタＡ２１０にコネクションの確立を要求するコネクション確立要求を送信する。この要求に対する応答として、プロジェクタＡ２１０からコネクション確立応答を受信したとき、サイネージ装置１００とプロジェクタＡ２１０とのコネクションが確立する。サイネージ装置１００とプロジェクタＢ２２０とのコネクションが確立されていない場合についても同様である。
【００５５】
ステップＳ１１０において送信先装置とのコネクションが確立された後、または、ステップＳ１０９においてＹＥＳと判定した場合、制御部１１０は、現在の時刻が送信タイミングになったか否かを判定する（ステップＳ１１１）。制御部１１０は、再生時間計測部１５０から取得した再生時間が特定した送信タイミングに至ったか否かに応じて判定する。送信タイミングになっていないと判定した場合（ステップＳ１１１；ＮＯ）、制御部１１０は、ステップＳ１１１の処理の実行を繰り返し、送信タイミングになるまで待機する。
【００５６】
一方、送信タイミングになったと判定した場合（ステップＳ１１１；ＹＥＳ）、制御部１１０は、送信先装置に特定した送信コマンドを送信する（ステップＳ１１２）。制御部１１０は、通信部１３０を制御して、プロジェクタＡ２１０とプロジェクタＢ２２０に特定した送信コマンド（電源オンコマンドまたは電源オフコマンド）を同時に送信する。
【００５７】
なお、コネクションが確立したサイネージ装置１００とプロジェクタＡ２１０，プロジェクタＢ２２０は、電源制御コマンドの送受信を行う前段階として、パスワード認証手続が必要であるが、コネクションが確立した後、最初の電源制御コマンドの送受信により、パスワード認証手続が同時に行われる。サイネージ装置１００から最初の電源制御コマンドを受信したプロジェクタＡ２１０とプロジェクタＢ２２０は、この電源制御コマンドに付加されたパスワードと自己が有するパスワードとを比較し、両者が同一であれば、電源制御コマンドを受容する。一方、不一致であればパスワード不一致応答をサイネージ装置１００に送信し、電源制御コマンドを受容しない。
【００５８】
ステップＳ１１２の処理を実行した後、制御部１１０は、電源制御スケジュールが終了したか否かを判定する（ステップＳ１１３）。制御部１１０は、スケジュール情報テーブルを参照し、後続の「電源制御時刻」のデータが存在するか否かに応じて判定する。電源制御スケジュールが終了していないと判定した場合（ステップＳ１１３；ＮＯ）、制御部１１０は、処理をステップＳ１０８に戻す。一方、電源制御スケジュールが終了したと判定した場合（ステップＳ１１３；ＹＥＳ）、制御部１１０は、ステップＳ１０６に処理を戻す。
【００５９】
以上に述べたように、本実施の形態によれば、サイネージ装置１００は、通信ネットワークを介して接続された外部装置であるプロジェクタＡ２１０およびプロジェクタＢ２２０に対してコンテンツの再生中の所定のタイミングで電源オンコマンドまたは電源オフコマンドを送信することにより、プロジェクタＡ２１０およびプロジェクタＢ２２０の電源制御を行う。これにより、広告コンテンツの再生と共に実機を用いて起動時間の比較等のデモンストレーションを実施することができ、閲覧者に広告対象であるプロジェクタＡ２１０の性能の優位性を実感させることができる。このように、サイネージ装置１００は、広告コンテンツの広告対象である製品等の電源機能を効果的にアピールし、製品等の販売を効果的に促進することができる。
【００６０】
なお、本発明は、上記の実施の形態に限定されず、本発明の要旨を逸脱しない範囲での種々の変形および応用が可能である。
【００６１】
例えば、上記の実施の形態において、サイネージ装置１００は、自己が備える記憶部１２０に記憶されたコンテンツデータおよびスケジュール情報テーブルを用いてコンテンツ再生およびプロジェクタ２００の電源制御を実行する。しかし、これらのデータを外部記憶装置に格納し、外部記憶装置から適宜読み込むことによりコンテンツ再生やプロジェクタ２００の電源制御を実行するように構成してもよい。
【００６２】
例えば、上記の実施の形態において、プロジェクタＡ２１０およびプロジェクタＢ２２０は、電源投入後に実行する起動処理が完了した後に、最初に投影する起動画像を記憶部２１２、記憶部２２２にそれぞれ記憶する。しかし、プロジェクタＡ２１０およびプロジェクタＢ２２０は、例えば、サイネージ装置１００からの電源オンコマンドを受け取ることにより起動した際の起動画像を、通信ネットワークＮＷまたは入力部２１５，２２５を介してサイネージ装置１００等の外部装置から取得するようにしてもよい。
【００６３】
例えば、上記の実施の形態において、情報提供システム１は、サイネージ装置１００とプロジェクタ２００から構成されるものとして説明した。しかし、情報提供システム１には、プロジェクタ２００に替えて、プロジェクタとともにＰＪＬｉｎｋ（登録商標）プロトコルの管理対象であるディスプレイを適用してもよい。
【００６４】
上記の実施の形態において、サイネージ装置１００の制御部１１０のＣＰＵが実行する動作プログラムは、あらかじめＲＯＭに記憶されていた。しかしながら、本発明は、これに限定されず、上記の各種処理を実行させるための動作プログラムを、既存の汎用コンビュータや、フレームワーク、ワークステーション等に実装することにより、上記の実施の形態に係るサイネージ装置１００に相当する装置として機能させてもよい。
【００６５】
このようなプログラムの提供方法は任意であり、例えば、コンピュータが読取可能な記録媒体（フレキシブルディスク、ＣＤ（Compact Disc）−ＲＯＭ、ＤＶＤ（Digital Versatile Disc）−ＲＯＭ）等に格納して配布してもよいし、インターネット等のネットワーク上のストレージにプログラムを格納しておき、これをダウンロードさせることにより提供してもよい。
【００６６】
また、上記の処理をＯＳ（Operating System）とアプリケーションプログラムとの分担、または、ＯＳとアプリケーションプログラムとの協働によって実行する場合には、アプリケーションプログラムのみを記録媒体やストレージに格納してもよい。また、搬送波にプログラムを重畳し、ネットワークを介して配信することも可能である。例えば、ネットワーク上の掲示板（Bulletin Board System：BBS）に上記プログラムを掲示し、ネットワークを介してプログラムを配信してもよい。そして、このプログラムを起動し、ＯＳの制御下で、他のアプリケーションプログラムと同様に実行することにより、上記の処理を実行できるように構成してもよい。
【００６７】
本発明は、本発明の広義の精神と範囲とを逸脱することなく、様々な実施の形態及び変形が可能とされるものである。また、前述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【００６８】
以下に、本願出願の当初の特許請求の範囲に記載された発明を付記する。
【００６９】
（付記１）
外部装置と通信ネットワークを介して接続されたコンテンツ再生装置であって、
コンテンツを再生する再生手段と、
前記再生手段のコンテンツの再生に基づいて、前記外部装置の電源オン／オフを制御する電源制御手段と、
を備えるコンテンツ再生装置。
【００７０】
（付記２）
前記再生手段が再生する前記コンテンツの再生時間を取得する再生時間取得手段を更に備え、
前記電源制御手段は、前記再生時間取得手段が取得した前記再生時間が予め定められた電源制御タイミングに到達したことを契機に、前記外部装置に電源オンコマンドまたは電源オフコマンドを送信することにより、前記外部装置の電源オン／オフを制御する、
付記１に記載のコンテンツ再生装置。
【００７１】
（付記３）
複数のコンテンツの再生スケジュールと前記電源制御タイミングとを規定するスケジュール情報を記憶する記憶手段と、
前記記憶手段が記憶する前記スケジュール情報において規定された前記再生スケジュールに応じて、前記再生手段によるコンテンツの再生を制御するコンテンツ再生制御手段と、を更に備える、
付記２に記載のコンテンツ再生装置。
【００７２】
（付記４）
前記外部装置は、プロジェクタまたはディスプレイであり、
前記電源オンコマンドと前記電源オフコマンドは、ＰＪＬｉｎｋ（登録商標）プロトコルに準拠したコマンドである、
付記２または３に記載のコンテンツ再生装置。
【００７３】
（付記５）
前記電源制御手段は、複数の前記外部装置の電源オン／オフを制御する、
付記１〜４のいずれか一つに記載のコンテンツ再生装置。
【００７４】
（付記６）
外部装置と通信ネットワークを介して接続されたコンテンツ再生装置のコンテンツ再生制御方法であって、
コンテンツを再生する再生ステップと、
前記再生ステップにおけるコンテンツの再生に基づいて、前記外部装置の電源オン／オフを制御する電源制御ステップと、
を備えるコンテンツ再生制御方法。
【００７５】
（付記７）
外部装置と通信ネットワークを介して接続されたコンテンツ再生装置のコンピュータに、
コンテンツを再生する再生処理と、
前記再生処理におけるコンテンツの再生に基づいて、前記外部装置の電源オン／オフを制御する電源制御処理と、
を実行させるためのプログラム。
【符号の説明】
【００７６】
１…情報提供システム、１００…サイネージ装置、１１０…制御部、１１１…コンテンツ再生制御部、１１２…電源制御部、１２０…記憶部、１３０…通信部、１４０…計時部、１５０…再生時間計測部、１６０…表示部、１７０…音声出力部、１８０…操作部、２００…プロジェクタ、２１０…プロジェクタＡ、２１１…制御部、２１２…記憶部、２１３…通信部、２１４…投影部、２１５…入力部、２１６…操作部、２２０…プロジェクタＢ、２２１…制御部、２２２…記憶部、２２３…通信部、２２４…投影部、２２５…入力部、２２６…操作部、ＢＬ…バスライン、ＮＷ…通信ネットワーク、ＰＰ…投影面、ＳＩ…起動画像
【図１】
2018129722.tif 000003
【図２】
2018129722.tif 000004
【図３】
2018129722.tif 000005
【図４Ａ】
2018129722.tif 000006
【図４Ｂ】
2018129722.tif 000007
【図５】
2018129722.tif 000008
【図６Ａ】
2018129722.tif 000009
【図６Ｂ】
2018129722.tif 000010
【図７】
2018129722.tif 000011